(57)【要約】【課題】  本発明の目的は、ワイヤの先端部を２列に配列したワイヤドット式プリントヘッドと、ワイヤの先端部を菱形に配列したワイヤドット式プリントヘッドの部品を共通にすることにより、製造コストを低廉なものとし廉価なワイヤドット式プリントヘッドを得る。【解決手段】  前記ノーズと前記ソレノイドベースとのいずれか一方には、第１ワイヤガイドが取り付けられたノーズと前記ソレノイドベースとを組み付ける際に組み付け位置を決めるための第１位置決め部と、第２ワイヤガイドが取り付けられたノーズと前記ソレノイドベースとを組み付ける際に組み付け位置を決めるための第２位置決め部と、他方には前記第１位置決め部および前記第２位置決め部のいずれかに合わせるための位置決め合わせ部を設ける。【選択図】        図５
2006264013.tif 000002
【特許請求の範囲】
【請求項１】
複数のワイヤと、該複数のワイヤの先端部を第１ワイヤ配列させるための第１ワイヤガイドまたは第２ワイヤ配列させるための第２ワイヤガイドのいずれか一方が取り付けられたノーズ体と、前記複数のワイヤを駆動するために該ワイヤがそれぞれ固着された複数のアーマチュアと、該複数のアーマチュアを駆動するための複数のソレノイドと、該複数のソレノイドが取り付けられたソレノイドベースとを有するワイヤドット式プリントヘッドにおいて、前記ノーズ体と前記ソレノイドベースとのいずれか一方には、第１ワイヤガイドが取り付けられたノーズ体と前記ソレノイドベースとを組み付ける際に組み付け位置を決めるための第１位置決め部と、第２ワイヤガイドが取り付けられたノーズ体と前記ソレノイドベースとを組み付ける際に組み付け位置を決めるための第２位置決め部と、他方には前記第１位置決め部または前記第２位置決め部のいずれか一方に選択的に対応する位置決め合わせ部を有することを特徴とするワイヤドット式プリントヘッド。
【請求項２】
前記ノーズ体に位置決め合わせ部が形成され、前記ソレノイドベースに第１位置決め部と第２位置決め部とが形成されていることを特徴とする請求項１記載のワイヤドット式プリントヘッド。
【請求項３】
前記ノーズ体に形成された前記位置決め合わせ部が位置決め突起部であり、前記ソレノイドベースに形成された第１位置決め部が第１位置決め溝部であり第２位置決め部が第２位置決め溝部であることを特徴とする請求項２記載のワイヤドット式プリントヘッド。
【請求項４】
前記ノーズ体に形成された前記位置決め合わせ部が位置決め突起部であり、前記ソレノイドベースに形成された第１位置決め部が第１位置決め孔であり第２位置決め部が第２位置決め孔であることを特徴とする請求項２記載のワイヤドット式プリントヘッド。
【請求項５】
前記ノーズ体に第１位置決め部と第２位置決め部とが形成され、前記ソレノイドベースに位置決め合わせ部が形成されていることを特徴とする請求項１記載のワイヤドット式プリントヘッド。
【請求項６】
前記ノーズ体に形成された第１位置決め部が第１位置決め突起部であり第２位置決め部が第２位置決め突起部であり、前記ソレノイドベースに形成された位置決め合わせ部が位置決め孔であることを特徴とする請求項５記載のワイヤドット式プリントヘッド。
【請求項７】
前記第１ワイヤガイドは、第１番ワイヤと最終番ワイヤの先端をワイヤ配列の縦中心線上に配設するようにワイヤ配列を行い、前記第２ワイヤガイドは、第１番ワイヤと最終番ワイヤの先端を縦中心線外に配設するようにワイヤ配列を行うことを特徴とする請求項１乃至請求項６のいずれか１項に記載のワイヤドット式プリントヘッド。
【請求項８】
前記第１ワイヤガイドは前記複数のワイヤの先端部を菱形に配列するための菱形ワイヤガイドであり、前記第２ワイヤガイドは前記複数のワイヤの先端部を２列型に配列するための２列型ワイヤガイドであることを特徴とする請求項７記載のワイヤドット式プリントヘッド。
【請求項９】
前記位置決め合わせ部が位置決め合わせ目印であり、前記第１位置決め部が第１位置決め目印であり、前記第２位置決め部が第２位置決め目印であり、前記ノーズ体と前記ソレノイドベースのいずれか一方に第１位置決め目印と第２位置決め目印が形成され、他方に位置決め合わせ目印が形成され、位置決め合わせ目印を第１位置決め目印と第２位置決め目印とに選択的に位置合わせすることにより組付状態１または組付状態２を得るように構成されていることを特徴とする請求項１記載のワイヤドット式プリントヘッド。
【発明の詳細な説明】
【技術分野】
【０００１】
本発明は、配列された多数のワイヤを選択的に突出させてドットマトリクス状にプリントを行うワイヤドット式プリントヘッドに関する。
【背景技術】
【０００２】
従来のこの種のワイヤドット式プリントヘッドとしては、ワイヤの先端部を２列に配列した方式と、ワイヤの先端部を菱形に配列した方式がある。ワイヤの先端部を２列に配列した方式は、ワイヤドット式プリントヘッドをプリントラインに沿って走行させながら選択的にワイヤを突出させるタイミングは、列に応じて決めればよいので２種類ですむが、ワイヤの先端部を菱形に配列した方式は、ワイヤドット式プリントヘッドをプリントラインに沿って走行させながら選択的にワイヤを突出させるタイミングは、ワイヤ毎に異なりワイヤの数だけ設ける必要があるので、コントロール回路が複雑になり高価になる。
【０００３】
然るに、ワイヤの先端部を２列に配列した方式は、ワイヤの後端部がプリントヘッドの中心部から等距離の位置に配設されているにも関わらず、ワイヤの先端部はプリントヘッドの中心部から距離が大きく異なる位置まで配設されているので、ワイヤはほぼ直線に近いものから、大きく曲げられているものまであり、ほぼ直線に近いワイヤは移動の際の抵抗が小さく、ワイヤの待機位置から突出位置まで移動する時間が短いが、大きく曲げられているワイヤは弾力性によるワイヤガイドへの側圧により移動の際の抵抗が大きく、ワイヤの待機位置から突出位置まで移動する時間が長くなってしまう。また、ワイヤの先端部を２列に配列したものは、同時に駆動されるワイヤの数が多くなる場合があり、この場合にはピーク電流が大きくなることがあるので電源容量を大きくする必要があると共に、発生する騒音も大きくなる。一方、ワイヤの先端部を菱形にに配列した方式は、すべてのワイヤの先端部がプリントヘッドの中心部からほぼ等距離に配設されており、すべてのワイヤはほぼ直線に近いので、すべてのワイヤは移動の際の抵抗が小さく、ワイヤの待機位置から突出位置まで移動する時間がほぼ均一になる。また、同時に駆動されるワイヤの数が少なくなり、ピーク電流が小さくなるので電源容量は小さくてすむと共に、発生する騒音も小さくなる。
【０００４】
上述したように、ワイヤの先端部を２列に配列したワイヤドット式プリントヘッドと、ワイヤの先端部を菱形に配列したワイヤドット式プリントヘッドとでは、それぞれ一長一短があり、用途、価格等によって使い分けられているので、いつでも双方の製造体制がとれるように設定しておき、ニーズによって適宜選択して製造する必要がある。然るに、従来は、ワイヤの先端部を２列に配列したワイヤドット式プリントヘッドと、ワイヤの先端部を菱形に配列したワイヤドット式プリントヘッドを、それぞれ別にプラスチックモールド型、焼結型、接合治具等を作り、別工程で製造するようにしていたことにより製造コストが高価になっていた。
【０００５】
また、従来のこの種のワイヤドット式プリントヘッドとして、特許文献１に開示されている一従来例のように、ワイヤの先端部を２列に配列したワイヤドット式プリントヘッドのワイヤの先端部を、隣接するワイヤ同士の縦方向の位置を一致させた高速印字モードと、隣接するワイヤ同士の縦方向の位置をずらした高品質印字モードとに切り替え可能なワイヤドット式プリントヘッドがある。
【０００６】
以下、図２６を用いて特許文献１に開示されている一従来例について説明する。（ａ）は、印字モードを切り替え可能なワイヤガイド部分の構成を示す正面図、（ｂ）は、（ａ）に示す断面Ｍ−Ｍの状態を示す断面図である。第１のワイヤガイド１００９、第２
のワイヤガイド１０１０、およびワイヤガイド取付板１０１１は、回転軸１０１１ａを両ワイヤガイド１００９、１０１０の各回転軸孔１００９ａ、１０１０ａに嵌合させ、かつ位置決め軸１０１１ｂを第１のワイヤガイド１００９の位置決め孔１００９ｄに嵌合させるとともに、第２のワイヤガイド１０１０の切欠部１０１０ｄに係合させて図示せぬノーズ部の先端部に配置されている。このような配置により、第２のワイヤガイド１０１０が、第１のワイヤガイド１００９に対して、位置決め軸１０１１ｂと切欠部１０１０ｄとにより規制される所定の角度範囲内で回転軸１０１１ａを中心に回動自在になっている。また、第２のワイヤガイド１０１０の回動により、印字モードが、２列の印字ワイヤ１００３の高さ位置が一致した高速印字モードと、その高さ位置ががずれた高品質印字モードとに切り替えられるようになっている。
【０００７】
上述したように、一従来例においては、第２のワイヤガイド１０１０を回動させることにより、２列の印字ワイヤ１００３の高さ位置が一致した高速印字モードと、その高さ位置ががずれた高品質印字モードとの２種の印字モードに切り替えられるようになっているので、高速印字モードと高品質印字モードとの切り替え操作が容易であるが、このような第２のワイヤガイド１０１０のような部材を回動させることでは、ワイヤの先端部を２列に配列した方式とワイヤの先端部を菱形に配列した方式との切り替えはできない。
【特許文献１】特開平６−３３６０３６号公報
【発明の開示】
【発明が解決しようとする課題】
【０００８】
本発明の目的は、ワイヤの先端部を２列に配列したワイヤドット式プリントヘッドと、ワイヤの先端部を菱形に配列したワイヤドット式プリントヘッドの部品を共通にすることにより、共通に用いるプラスチックモールド型、焼結型、接合治具等を使用して同一の部品を用意して、ワイヤの先端部を２列に配列したワイヤドット式プリントヘッドと、ワイヤの先端部を菱形に配列したワイヤドット式プリントヘッドを、それぞれ適宜同一工程で製造することができるようにすることにより、製造コストを低廉なものとし廉価なワイヤドット式プリントヘッドを得ることにある。
【課題を解決するための手段】
【０００９】
上記目的を達成するために、複数のワイヤと、該複数のワイヤの先端部を第１ワイヤ配列させるための第１ワイヤガイドまたは第２ワイヤ配列させるための第２ワイヤガイドのいずれか一方が取り付けられたノーズ体と、前記複数のワイヤを駆動するために該ワイヤがそれぞれ固着された複数のアーマチュアと、該複数のアーマチュアを駆動するための複数のソレノイドと、該複数のソレノイドが取り付けられたソレノイドベースとを有するワイヤドット式プリントヘッドにおいて、前記ノーズと前記ソレノイドベースとのいずれか一方には、第１ワイヤガイドが取り付けられたノーズ体と前記ソレノイドベースとを組み付ける際に組み付け位置を決めるための第１位置決め部と、第２ワイヤガイドが取り付けられたノーズ体と前記ソレノイドベースとを組み付ける際に組み付け位置を決めるための第２位置決め部と、他方には前記第１位置決め部または前記第２位置決め部のいずれか一方に選択的に対応する位置決め合わせ部を有することを特徴とするものである。
【００１０】
また、前記ノーズ体に位置決め合わせ部が形成され、前記ソレノイドベースに第１位置決め部と第２位置決め部とが形成されていることを特徴とするものである。
【００１１】
また、前記ノーズ体に形成された前記位置決め合わせ部が位置決め突起部であり、前記ソレノイドベースに形成された第１位置決め部が第１位置決め溝部であり第２位置決め部が第２位置決め溝部であることを特徴とするものである。
【００１２】
また、前記ノーズ体に形成された前記位置決め合わせ部が位置決め突起部であり、前記
ソレノイドベースに形成された第１位置決め部が第１位置決め孔であり第２位置決め部が第２位置決め孔であることを特徴とするものである。
【００１３】
また、前記ノーズ体に第１位置決め部と第２位置決め部とが形成され、前記ソレノイドベースに位置決め合わせ部が形成されていることを特徴とするものである。
【００１４】
また、前記ノーズ体に形成された第１位置決め部が第１位置決め突起部であり第２位置決め部が第２位置決め突起部であり、前記ソレノイドベースに形成された位置決め合わせ部が位置決め孔であることを特徴とするものである。
【００１５】
また、前記第１ワイヤガイドは、第１番ワイヤと最終番ワイヤの先端をワイヤ配列の縦中心線上に配設するようにワイヤ配列を行い、前記第２ワイヤガイドは、第１番ワイヤと最終番ワイヤの先端を縦中心線外に配設するようにワイヤ配列を行うことを特徴とするものである。
【００１６】
また、前記第１ワイヤガイドは前記複数のワイヤの先端部を菱形に配列するための菱形ワイヤガイドであり、前記第２ワイヤガイドは前記複数のワイヤの先端部を２列型に配列するための２列型ワイヤガイドであることを特徴とするものである。
【００１７】
また、前記位置決め合わせ部が位置決め合わせ目印であり、前記第１位置決め部が第１位置決め目印であり、前記第２位置決め部が第２位置決め目印であり、前記ノーズ体と前記ソレノイドベースのいずれか一方に第１位置決め目印と第２位置決め目印が形成され、他方に位置決め合わせ目印が形成され、位置決め合わせ目印を第１位置決め目印と第２位置決め目印とに選択的に位置合わせすることにより組付状態１または組付状態２を得るように構成されていることを特徴とするものである。
【発明の効果】
【００１８】
本発明は、ワイヤの先端部を２列に配列したワイヤドット式プリントヘッドと、ワイヤの先端部を菱形に配列したワイヤドット式プリントヘッドの部品を共通にすることにより、共通に用いるプラスチックモールド型、焼結型、接合治具等を使用して同一の部品を用意して、ワイヤの先端部を２列に配列したワイヤドット式プリントヘッドと、ワイヤの先端部を菱形に配列したワイヤドット式プリントヘッドを、それぞれ適宜同一工程で製造することができるようにすることにより、製造コストを低廉なものとし廉価なワイヤドット式プリントヘッドを得ることができる。
【発明を実施するための最良の形態】
【００１９】
複数のワイヤと、該複数のワイヤの先端部を菱形に配列させるための菱形ワイヤガイドまたは２列型に配列させるための２列型ワイヤガイドのいずれか一方が取り付けられたノーズ体と、前記複数のワイヤを駆動するために該ワイヤがそれぞれ固着された複数のアーマチュアと、該複数のアーマチュアを駆動するための複数のソレノイドと、該複数のソレノイドが取り付けられたソレノイドベースとを有するワイヤドット式プリントヘッドにおいて、前記ノーズ体と前記ソレノイドベースとのいずれか一方には、菱形ワイヤガイドが取り付けられたノーズ体と前記ソレノイドベースとを組み付ける際に組み付け位置を決めるための第１位置決め溝部と、２列型ワイヤガイドが取り付けられたノーズ体と前記ソレノイドベースとを組み付ける際に組み付け位置を決めるための第２位置決め溝部と、他方には前記第１位置決め溝部または前記部第２位置決め溝部のいずれか一方に選択的に対応する位置決め合わせ部を有することを特徴とするワイヤドット式プリントヘッド。
【実施例】
【００２０】
以下、本発明の実施の形態を実施例に基づき図面を参照して説明する。
図１は、本発明に係る第１実施例の組付状態１で、（ｂ）は正面図、（ａ）は（ｂ）に示す断面ＡＡの状態を示す断面図である。図２は、図１（Ｂ）を拡大して示す詳細断面図である。図３は、図１におけるソレノイドベース８の単体を右方向から見た状態示す正面図である。図４は、図１における２列型ノーズ体１を右方向から見た状態を示す正面図である。図５は、図３に示すソレノイドベース８を図４に示す２列型ノーズ体１に位置決めする状態を示す説明図である。図６は、本発明に係る第１実施例の組付状態２で、（ｂ）は正面図、（ａ）は（ｂ）に示す断面ＣＣの状態を示す断面図である。図７は、図６におけるソレノイドベース８の単体を右方向から見た状態示す正面図である。図８は、図６における菱形ノーズ体２を右方向から見た状態を示す正面図である。図９は、図７に示すソレノイドベース８を図８に示す菱形ノーズ体２に位置決めする状態を示す説明図である。
【００２１】
図１０は、本発明に係る第２実施例の組付状態１で、（ｂ）は正面図、（ａ）は（ｂ）に示す断面ＥＥの状態を示す断面図である。図１１は、図１０におけるソレノイドベース１０８の単体を右方向から見た状態示す正面図である。図１２は、図１０における２列型ノーズ体１０１を右方向から見た状態を示す正面図である。図１３は、図１１に示すソレノイドベース１０８を図１２に示す２列型ノーズ体１０１に位置決めする状態を示す説明図である。図１４は、本発明に係る第２実施例の組付状態２で、（ｂ）は正面図、（ａ）は（ｂ）に示す断面ＧＧの状態を示す断面図である。図１５は、図１４におけるソレノイドベース１０８の単体を右方向から見た状態示す正面図である。図１６は、図１４における菱形ノーズ体１０２を右方向から見た状態を示す正面図である。図１７は、図１５に示すソレノイドベース１０８を図１６に示す菱形ノーズ体１０２に位置決めする状態を示す説明図である。
【００２２】
図１８は、本発明に係る第３実施例の組付状態１で、（ｂ）は正面図、（ａ）は（ｂ）に示す断面ＩＩの状態を示す断面図である。図１９は、図１８におけるソレノイドベース２０８の単体を右方向から見た状態示す正面図である。図２０は、図１８における２列型ノーズ体２０１を右方向から見た状態を示す正面図である。図２１は、図１９に示すソレノイドベース２０８を図２０に示す２列型ノーズ体２０１に位置決めする状態を示す説明図である。図２２は、本発明に係る第３実施例の組付状態２で、（ｂ）は正面図、（ａ）は（ｂ）に示す断面ＫＫの状態を示す断面図である。図２３は、図２２におけるソレノイドベース２０８の単体を右方向から見た状態示す正面図である。図２４は、図２２における菱型ノーズ体２０２の単体を右方向から見た状態を示す正面図である。図２５は、図２３に示すソレノイドベース２０８を図２４に示す菱型ノーズ体２０２に位置決めする状態を示す説明図である。
【００２３】
図１、および図２を用いて、本発明に係る第１実施例の組付状態１の構成について説明する。組付状態１は、ワイヤの先端部を２列型に配列したものである。２列型ノーズ体１は、ノーズ３に形成されている開口部に複数個の２列型ワイヤガイド４が取り付けられており、ノーズ３には、ノーズ３を後述するソレノイドベース８と組み合わせる際の相対位置を決めるための位置合わせ部となる位置決め突起部３ａが形成されている。また、２列型ノーズ体１にはソレノイドベース８が取り付けられている。ソレノイドベース８には第１位置決め溝部８ｂが形成されており、（ｂ）に示す（ａ）における断面ＢＢのように第１位置決め溝部８ｂと位置決め突起部３ａを結合させることによって、２列型ノーズ体１とソレノイドベース８との組み付け位置を決めている。リアカバー１０は、ソレノイドベース８および２列型ノーズ体１を貫通している４本のリアカバー止めネジ１１と、ノーズ３に形成されている沈み穴にはめ込まれている４個のナットとによって締結されている。
【００２４】
ソレノイドベース８には複数箇所のソレノイドコア８ａが形成されており、複数箇所のソレノイドコア８ａにはそれぞれソレノイド９が取り付けられている。複数個のソレノイド９はそれぞれ配線基板６に接続され、コネクタ７を介して図示せぬ制御回路に接続され
ている。複数箇所のソレノイドコア８ａにはそれぞれアーマチュア１４が対向して組み付けられている。アーマチュア１４は、ソレノイドベース８と共に２列型ノーズ体１に取り付けられているリアカバー１０に取り付けられているアーマチュアガイド１２によってそれぞれ支えられ、アーマチュアバネ１８によってソレノイドベース８に揺動可能に圧接されている。アーマチュア１４の先端部にはそれぞれワイヤ１５が固着されている。ソレノイドベース８にはワイヤバネ支持リング１６が取り付けられ、ワイヤバネ支持リング１６には、複数個のアーマチュア１４の先端部をそれぞれリアカバー１０に取り付けられているアーマチュアストッパ１３に押しつけるように付勢している。図２の左側に示すアーマチュア１４のようにアーマチュア１４はワイヤバネ１７によって、リアカバー１０に取り付けられているアーマチュアストッパ１３に押しつけられており、図示せぬ制御回路によって駆動されたアーマチュア１４は、図２の右側に示すアーマチュア１４のようにソレノイドコア８ａに吸引されてワイヤバネ１７の付勢力に抗して揺動し、アーマチュア１４の先端部に固着されているワイヤ１５を、２列型ノーズ体１の先端部に取り付けられている２列型ワイヤガイド４か突出して、図示せぬ印字媒体にドットをプリントするように構成されている。
【００２５】
図３を用いて、図１、および図２に示すソレノイドベース８の構成について説明する。ソレノイドベース８には、複数箇所のソレノイドコア８ａがリング状に配設されており、外周には第１位置決め溝部８ｂと第２位置決め溝部８ｃが形成されている。第１位置決め溝部８ｂは２カ所のソレノイドコア８ａの中間に形成されており、第２位置決め溝部８ｃはソレノイドコア８ａに対応する位置に形成されている。従って、本図のようにソレノイドコア８ａが偶数個配設されている場合には、第２位置決め溝部８ｃは第１位置決め溝部８ｂと対称となる位置から、ソレノイドコア８ａの間隔角度の半分のθだけずれた位置に形成されている。
【００２６】
図４を用いて、図１、および図２に示す２列型ノーズ体１の構成について説明する。２列型ノーズ体１は、ノーズ３と、ノーズ３に取り付けられて複数個の２列型ワイヤガイド４によって構成されている。２列型ワイヤガイド４には、ワイヤ配列の縦中心線に対して振り分けに縦１列にワイヤをガイドするためのガイド孔列が形成されている。ノーズ３には、ソレノイドベース８に形成されている第１位置決め溝部８ｂまたは第２位置決め溝部８ｃにはめ合って、ソレノイドベース８との組み付け位置を決めるための位置決め突起部３ａが、ワイヤ配列の縦中心線に形成されている。
【００２７】
図５を用いて、図３に示すソレノイドベース８と、図４に示す２列型ノーズ体１とを組み合わせるときの位置決めの状態を説明する。２列型ノーズ体１とソレノイドベース８とを組み付ける場合には、ノーズ３に形成されている位置決め突起部３ａに、ソレノイドベース８の２カ所のソレノイドコア８ａの中間に形成されている第１位置決め溝部８ｂをはめ合わせて、２列型ノーズ体１とソレノイドベース８とを組み付ける。このように、２列型ノーズ体１の、ワイヤ配列の縦中心線に形成されている位置決め突起部３ａに、２カ所のソレノイドコア８ａの中間に形成されている第１位置決め溝部８ｂをはめ合わせることにより、ソレノイドコア８ａに対応して配設されているアーマチュア１４に固着されているワイヤ１５の先端部は無理なく２列型ワイヤガイド４に形成されているガイド孔列に案内される。
【００２８】
図６を用いて、本発明に係る第１実施例の組付状態２の構成について説明する。組付状態２は、ワイヤの先端部を菱形に配列したものである。菱型ノーズ体２は、ノーズ３に形成されている開口部に複数個の菱型ワイヤガイド５が取り付けられており、ノーズ３には、ノーズ３を後述するソレノイドベース８と組み合わせる際の相対位置を決めるための位置合わせ部となる位置決め突起部３ａが形成されている。また、菱型ノーズ体２にはソレノイドベース８が取り付けられている。ソレノイドベース８には第２位置決め溝部８ｃが
形成されており、（ｂ）に示す（ａ）における断面ＤＤのように第２位置決め溝部８ｃと位置決め突起部３ａを結合させることによって、菱型ノーズ体２とソレノイドベース８との組み付け位置を決めている。リアカバー１０は、ソレノイドベース８および２列型ノーズ体１を貫通している４本のリアカバー止めネジ１１と、ノーズ３に形成されている沈み穴にはめ込まれている４個のナットとによって締結されている。また、ソレノイドベース８には配線基板６が取り付けられ、配線基板６にはコネクタ７が固着されている。
【００２９】
図７を用いて、図６に示すソレノイドベース８の構成について説明する。ソレノイドベース８には、複数箇所のソレノイドコア８ａがリング状に配設されており、外周には第１位置決め溝部８ｂと第２位置決め溝部８ｃが形成されている。第１位置決め溝部８ｂは２カ所のソレノイドコア８ａの中間に形成されており、第２位置決め溝部８ｃはソレノイドコア８ａに対応する位置に形成されている。従って、本図のようにソレノイドコア８ａが偶数個配設されている場合には、第２位置決め溝部８ｃは第１位置決め溝部８ｂと対称となる位置から、ソレノイドコア８ａの間隔角度の半分のθだけずれた位置に形成されている。
【００３０】
図８を用いて、図６に示す菱型ノーズ体２の構成について説明する。菱型ノーズ体２は、ノーズ３と、ノーズ３に取り付けられて複数個の菱型ワイヤガイド５によって構成されている。菱型ワイヤガイド５には、第１番ワイヤのガイド孔と最終番ワイヤのガイド孔が、ワイヤ配列の縦中心線に形成され、中間部のガイド孔が中心線から遠のくようにして菱形に配列されている。ノーズ３には、ソレノイドベース８に形成されている第１位置決め溝部８ｂおよび第２位置決め溝部８ｃにはめ合って、ソレノイドベース８との組み付け位置を決めるための位置決め突起部３ａが、ワイヤ配列の縦中心線に形成されている。
【００３１】
図９を用いて、図７に示すソレノイドベース８と、図８に示す菱型ノーズ体２とを組み合わせるときの位置決めの状態を説明する。菱型ノーズ体２とソレノイドベース８とを組み付ける場合には、ノーズ３に形成されている位置決め突起部３ａに、ソレノイドベース８のソレノイドコア８ａに対応する位置に形成されている第２位置決め溝部８ｃをはめ合わせて、菱型ノーズ体２とソレノイドベース８とを組み付ける。このように、菱型ノーズ体２の、ワイヤ配列の縦中心線に形成されている位置決め突起部３ａに、ソレノイドコア８ａに対応する位置に形成されている第２位置決め溝部８ｃをはめ合わせることにより、ソレノイドコア８ａに対応して配設されているアーマチュア１４に固着されているワイヤ１５の先端部は無理なく菱型ワイヤガイド４に形成されているガイド孔列に案内される。
【００３２】
図１０を用いて、本発明に係る第２実施例の組付状態１の構成について説明する。組付状態１は、ワイヤの先端部を２列型に配列したものである。２列型ノーズ体１０１は、ノーズ１０３に形成されている開口部に複数個の２列型ワイヤガイド４が取り付けられており、ノーズ１０３には、ノーズ１０３を後述するソレノイドベース１０８と組み合わせる際の相対位置を決めるための位置合わせ部となる位置決め突起部１０３ａが形成されている。また、２列型ノーズ体１０１にはソレノイドベース１０８が取り付けられている。ソレノイドベース１０８には第１位置決め孔１０８ｂが形成されており、（ｂ）に示す（ａ）における断面ＦＦのように第１位置決め孔１０８ｂと位置決め突起部１０３ａを結合させることによって、２列型ノーズ体１０１とソレノイドベース１０８との組み付け位置を決めている。リアカバー１０は、ソレノイドベース８および２列型ノーズ体１を貫通している４本のリアカバー止めネジ１１と、ノーズ１０３に形成されている沈み穴にはめ込まれている４個のナットとによって締結されている。また、ソレノイドベース１０８には配線基板６が取り付けられ、配線基板６にはコネクタ７が固着されている。
【００３３】
図１１を用いて、図１０に示すソレノイドベース１０８の構成について説明する。ソレノイドベース１０８には、複数箇所のソレノイドコア１０８ａがリング状に配設されてお
り、外周には第１位置決め孔１０８ｂと第２位置決め孔１０８ｃが形成されている。第１位置決め孔１０８ｂは２カ所のソレノイドコア１０８ａの中間に形成されており、第２位置決め孔１０８ｃはソレノイドコア１０８ａに対応する位置に形成されている。従って、本図のようにソレノイドコア１０８ａが偶数個配設されている場合には、第２位置決め孔１０８ｃは第１位置決め孔１０８ｂと対称となる位置から、ソレノイドコア１０８ａの間隔角度の半分のθだけずれた位置に形成されている。
【００３４】
図１２を用いて、図１０に示す２列型ノーズ体１０１の構成について説明する。２列型ノーズ体１０１は、ノーズ１０３と、ノーズ１０３に取り付けられて複数個の２列型ワイヤガイド４によって構成されている。２列型ワイヤガイド４には、ワイヤ配列の縦中心線に対して振り分けに縦１列にワイヤをガイドするためのガイド孔列が形成されている。ノーズ１０３には、ソレノイドベース１０８に形成されている第１位置決め孔１０８ｂおよび第２位置決め孔１０８ｃにはめ合って、ソレノイドベース１０８との組み付け位置を決めるための位置決め突起部１０３ａが、ワイヤ配列の縦中心線に形成されている。
【００３５】
図１３を用いて、図１１に示すソレノイドベース１０８と、図１２に示す２列型ノーズ体１０１とを組み合わせるときの位置決めの状態を説明する。２列型ノーズ体１０１とソレノイドベース１０８とを組み付ける場合には、ノーズ１０３に形成されている位置決め突起部１０３ａに、ソレノイドベース１０８の２カ所のソレノイドコア１０８ａの中間に形成されている第１位置決め孔１０８ｂをはめ合わせて、２列型ノーズ体１０１とソレノイドベース１０８とを組み付ける。このように、２列型ノーズ体１０１の、ワイヤ配列の縦中心線に形成されている位置決め突起部１０３ａに、２カ所のソレノイドコア１０８ａの中間に形成されている第１位置決め孔１０８ｂをはめ合わせることにより、ソレノイドコア１０８ａに対応して配設されているアーマチュア１４に固着されているワイヤ１５の先端部は無理なく２列型ワイヤガイド４に形成されているガイド孔列に案内される。
【００３６】
図１４を用いて、本発明に係る第２実施例の組付状態２の構成について説明する。組付状態２は、ワイヤの先端部を菱形に配列したものである。菱型ノーズ体１０２は、ノーズ１０３に形成されている開口部に複数個の菱型ワイヤガイド５が取り付けられており、ノーズ１０３には、ノーズ１０３を後述するソレノイドベース１０８と組み合わせる際の相対位置を決めるための位置合わせ部となる位置決め突起部１０３ａが形成されている。また、菱型ノーズ体１０２にはソレノイドベース１０８が取り付けられている。ソレノイドベース１０８には第２位置決め孔１０８ｃが形成されており、（ｂ）に示す（ａ）における断面ＨＨのように第２位置決め孔１０８ｃと位置決め突起部１０３ａを結合させることによって、菱型ノーズ体１０２とソレノイドベース１０８との組み付け位置を決めている。リアカバー１０は、ソレノイドベース１０８および２列型ノーズ体１を貫通している４本のリアカバー止めネジ１１と、ノーズ１０３に形成されている沈み穴にはめ込まれている４個のナットとによって締結されている。また、ソレノイドベース１０８には配線基板６が取り付けられ、配線基板６にはコネクタ７が固着されている。
【００３７】
図１５を用いて、図１４に示すソレノイドベース１０８の構成について説明する。ソレノイドベース１０８には、複数箇所のソレノイドコア１０８ａがリング状に配設されており、外周には第１位置決め孔１０８ｂと第２位置決め孔１０８ｃが形成されている。第１位置決め孔１０８ｂは２カ所のソレノイドコア１０８ａの中間に形成されており、第２位置決め孔１０８ｃはソレノイドコア１０８ａに対応する位置に形成されている。従って、本図のようにソレノイドコア１０８ａが偶数個配設されている場合には、第２位置決め孔１０８ｃは第１位置決め孔１０８ｂと対称となる位置から、ソレノイドコア１０８ａの間隔角度の半分のθだけずれた位置に形成されている。
【００３８】
図１６を用いて、図１４に示す菱型ノーズ体１０２の構成について説明する。菱型ノー
ズ体１０２は、ノーズ１０３と、ノーズ１０３に取り付けられて複数個の菱型ワイヤガイド５によって構成されている。菱型ワイヤガイド５には、第１番ワイヤのガイド孔と最終番ワイヤのガイド孔が、ワイヤ配列の縦中心線に形成され、中間部のガイド孔が中心線から遠のくようにして菱形に配列されている。ノーズ１０３には、ソレノイドベース１０８に形成されている第１位置決め孔１０８ｂおよび第２位置決め孔１０８ｃにはめ合って、ソレノイドベース１０８との組み付け位置を決めるための位置決め突起部１０３ａが、ワイヤ配列の縦中心線に形成されている。
【００３９】
図１７を用いて、図１５に示すソレノイドベース１０８と、図１６に示す菱型ノーズ体１０２とを組み合わせるときの位置決めの状態を説明する。菱型ノーズ体１０２とソレノイドベース１０８とを組み付ける場合には、ノーズ１０３に形成されている位置決め突起部１０３ａに、ソレノイドベース１０８のソレノイドコア１０８ａに対応する位置に形成されている第２位置決め孔１０８ｃをはめ合わせて、菱型ノーズ体１０２とソレノイドベース１０８とを組み付ける。このように、菱型ノーズ体１０２の、ワイヤ配列の縦中心線に形成されている位置決め突起部１０３ａに、ソレノイドコア１０８ａに対応する位置に形成されている第２位置決め孔１０８ｃをはめ合わせることにより、ソレノイドコア１０８ａに対応して配設されているアーマチュア１４に固着されているワイヤ１５の先端部は無理なく菱型ワイヤガイド４に形成されているガイド孔列に案内される。
【００４０】
図１８を用いて、本発明に係る第３実施例の組付状態１の構成について説明する。組付状態１は、ワイヤの先端部を２列型に配列したものである２列型ノーズ体２０１は、ノーズ２０３には第１位置決め突起部２０３ａと第２位置決め突起部２０３ｂが形成されており開口部に複数個の２列型ワイヤガイド４が取り付けられている。ソレノイドベース２０８には、ノーズ２０３に形成されている第１位置決め突起部２０３ａまたは第２位置決め突起部２０３ｂと選択的にはめ合わせて相対位置を決めるための位置合わせ部となる位置決め孔２０８ｂが形成されており、（ｂ）に示す（ａ）における断面ＪＪのように位置決め孔２０８ｂと第１位置決め突起部２０３ａを結合させることによって、２列型ノーズ体２０１とソレノイドベース２０８との組み付け位置を決めている。リアカバー１０は、ソレノイドベース２０８および２列型ノーズ体１を貫通している４本のリアカバー止めネジ１１と、ノーズ２０３に形成されている沈み穴にはめ込まれている４個のナットとによって締結されている。また、ソレノイドベース２０８には配線基板６が取り付けられ、配線基板６にはコネクタ７が固着されている。
【００４１】
図１９を用いて、図１８に示すソレノイドベース２０８の構成について説明する。ソレノイドベース２０８には、複数箇所のソレノイドコア２０８ａがリング状に配設されており、外周には位置決め孔２０８ｂが形成されている。位置決め孔２０８ｂはソレノイドコア２０８ａに対応する位置に形成されている。
【００４２】
図２０を用いて、図１８に示す２列型ノーズ体２０１の構成について説明する。２列型ノーズ体２０１は、ノーズ２０３と、ノーズ２０３に取り付けられて複数個の２列型ワイヤガイド４によって構成されている。２列型ワイヤガイド４には、ワイヤ配列の縦中心線に対して振り分けに縦１列にワイヤをガイドするためのガイド孔列が形成されている。ノーズ２０３には、ソレノイドベース２０８に形成されている位置決め孔２０８ｂにはめ合って、ソレノイドベース２０８との組み付け位置を決めるための第２位置決め突起部２０３ｂが、ワイヤ配列の縦中心線に形成されており、第１位置決め突起部２０３ａが、、ワイヤ配列の縦中心線からソレノイドコア１０８ａの間隔角度の半分のθだけずれた位置に形成されている。
【００４３】
図２１を用いて、図１９に示すソレノイドベース２０８と、図２０に示す２列型ノーズ体２０１とを組み合わせるときの位置決めの状態を説明する。２列型ノーズ体２０１とソ
レノイドベース２０８とを組み付ける場合には、ノーズ２０３に形成されている第１位置決め突起部２０３ａに、ソレノイドベース１０８に形成されている位置決め孔２０８ｂをはめ合わせて、２列型ノーズ体２０１とソレノイドベース２０８とを組み付ける。このように、２列型ノーズ体２０１の、ワイヤ配列の縦中心線からソレノイドコア２０８ａの間隔角度の半分のθだけずれた位置に形成されている第１位置決め突起部２０３ａに、位置決め孔２０８ｂをはめ合わせることにより、ソレノイドコア２０８ａに対応して配設されているアーマチュア１４に固着されているワイヤ１５の先端部は無理なく２列型ワイヤガイド４に形成されているガイド孔列に案内される。
【００４４】
図２２を用いて、本発明に係る第３実施例の組付状態２の構成について説明する。組付状態２は、ワイヤの先端部を菱型に配列したものである。菱型ノーズ体２０２は、ノーズ２０３には第１位置決め突起部２０３ａと第２位置決め突起部２０３ｂが形成されており開口部に複数個の菱型ワイヤガイド５が取り付けられている。ソレノイドベース２０８には、ノーズ２０３に形成されている第１位置決め突起部２０３ａまたは第２位置決め突起部２０３ｂと選択的にはめ合わせて相対位置を決めるための位置合わせ部となる位置決め孔２０８ｂが形成されており、（ｂ）に示す（ａ）における断面ＬＬのように位置決め孔２０８ｂと第２位置決め突起部２０３ｂを結合させることによって、菱型ノーズ体２０２とソレノイドベース２０８との組み付け位置を決めている。リアカバー１０は、ソレノイドベース２０８および２列型ノーズ体１を貫通している４本のリアカバー止めネジ１１と、ノーズ２０３に形成されている沈み穴にはめ込まれている４個のナットとによって締結されている。また、ソレノイドベース２０８には配線基板６が取り付けられ、配線基板６にはコネクタ７が固着されている。
【００４５】
図２３を用いて、図２２に示すソレノイドベース２０８の構成について説明する。ソレノイドベース２０８には、複数箇所のソレノイドコア２０８ａがリング状に配設されており、外周には位置決め孔２０８ｂが形成されている。位置決め孔２０８ｂはソレノイドコア２０８ａに対応する位置に形成されている。
【００４６】
図２４を用いて、図２２に示す菱型ノーズ体２０２の構成について説明する。菱型ノーズ体２０２は、ノーズ２０３と、ノーズ２０３に取り付けられて複数個の菱型ワイヤガイド５によって構成されている。菱型ワイヤガイド５には、第１番ワイヤのガイド孔と最終番ワイヤのガイド孔が、ワイヤ配列の縦中心線に形成され、中間部のガイド孔が中心線から遠のくようにして菱形に配列されている。ノーズ２０３には、ソレノイドベース２０８に形成されている位置決め孔２０８ｂにはめ合って、ソレノイドベース２０８との組み付け位置を決めるための第２位置決め突起部２０３ｂが、、ワイヤ配列の縦中心線に形成されており、第１位置決め突起部２０３ａが、ワイヤ配列の縦中心線からソレノイドコア１０８ａの間隔角度の半分のθだけずれた位置に形成されている。
【００４７】
図２５を用いて、図２３に示すソレノイドベース２０８と、図２４に示す菱型ノーズ体２０２とを組み合わせるときの位置決めの状態を説明する。菱型ノーズ体２０２とソレノイドベース２０８とを組み付ける場合には、ノーズ２０３に形成されている第２位置決め突起部２０３ｂに、ソレノイドベース２０８に形成されている位置決め孔２０８ｂをはめ合わせて、菱型ノーズ体２０２とソレノイドベース２０８とを組み付ける。このように、菱型ノーズ体２０２の、ワイヤ配列の縦中心線に形成されている第２位置決め突起部２０３ｂに、位置決め孔２０８ｂをはめ合わせることにより、ソレノイドコア２０８ａに対応して配設されているアーマチュア１４に固着されているワイヤ１５の先端部は無理なく２列型ワイヤガイド４に形成されているガイド孔列に案内される。
【００４８】
上述したように、第１実施例においては、２列型ノーズ体１によってワイヤドット式プリントヘッドを構成する例えば組付状態１を得るためには、第１位置決め溝部８ｂと第２
位置決め溝部８ｃが形成されているソレノイドベース８の第１位置決め溝部８ｂに、ノーズ３に形成されている位置決め突起部３ａを結合させ、菱型ノーズ体２によってワイヤドット式プリントヘッドを構成する例えば組付状態２を得るためには、ソレノイドベース８の第２位置決め溝部８ｃに、ノーズ３に形成されている位置決め突起部３ａを結合させている。また、第２実施例においては、ノーズ１０３に形成されている位置決め突起部１０３ａを、ソレノイドベース１０８に形成されている第１位置決め孔１０８ｂまたは第２位置決め孔１０８ｃに選択的に結合させることにより、組付状態１および組付状態２を得ており、第３実施例においては、ソレノイドベース２０８に形成されている位置決め孔２０８ｂを、ノーズ２０３に形成されている第１位置決め突起部２０３ａまたは第２位置決め突起部２０３ｂに選択的に結合させることにより、組付状態１および組付状態２を得ている。
【００４９】
このように上述した実施例においては、ノーズ体とソレノイドベースとを結合させて選択的に位置決めすることにより組付状態１または組付状態２を得ているが、ノーズ体とソレノイドベースのいずれか一方に第１位置決め目印と第２位置決め目印を形成し、他方に位置決め合わせ目印を形成しておいて、位置決め合わせ目印を第１位置決め目印と第２位置決め目印とに選択的に位置合わせすることにより、組付状態１または組付状態２を得るように構成してもよい。
【００５０】
なお、ワイヤガイドとノーズに本発明と同様の位置決め合わせ部を形成することも考えられるが、前述したようにワイヤガイドは複数個用いられるので組み立てが煩雑になりコストアップにつながる。さらに、ワイヤガイドは小さい部品であるので微小角度θだけずれた位置に形成される位置決め合わせ部の位置精度が角度θに及ぼす影響が大きいために角度θの精度を確保するのが困難であるのに対して、本発明によればワイヤガイドに比べて格段に大きな部品であるノーズとソレノイドベースの外周近くに位置決め合わせ部を形成するするので位置決め合わせ部の位置精度が角度θに及ぼす影響が小さいために角度θの精度を確保するのが容易となる。
【図面の簡単な説明】
【００５１】
【図１】本発明に係る第１実施例の組付状態１で、（ｂ）は正面図、（ａ）は（ｂ）に示す断面ＡＡの状態を示す断面図である。
【図２】図１（ｂ）を拡大して示す詳細断面図である。
【図３】図１におけるソレノイドベース８の単体を右方向から見た状態示す正面図である。
【図４】図１における２列型ノーズ体１を右方向から見た状態を示す正面図である。
【図５】図３に示すソレノイドベース８を図４に示す２列型ノーズ体１に位置決めする状態を示す説明図である。
【図６】本発明に係る第１実施例の組付状態２で、（ｂ）は正面図、（ａ）は（ｂ）に示す断面ＣＣの状態を示す断面図である。
【図７】図６におけるソレノイドベース８の単体を右方向から見た状態示す正面図である。
【図８】図６における菱形ノーズ体２を右方向から見た状態を示す正面図である。
【図９】図７に示すソレノイドベース８を図８に示す菱形ノーズ体２に位置決めする状態を示す説明図である。
【図１０】本発明に係る第２実施例の組付状態１で、（ｂ）は正面図、（ａ）は（ｂ）に示す断面ＥＥの状態を示す断面図である。
【図１１】図１０におけるソレノイドベース１０８の単体を右方向から見た状態示す正面図である。
【図１２】図１０における２列型ノーズ体１０１を右方向から見た状態を示す正面図である。
【図１３】図１１に示すソレノイドベース１０８を図１２に示す２列型ノーズ体１０１に位置決めする状態を示す説明図である。
【図１４】本発明に係る第２実施例の組付状態２で、（ｂ）は正面図、（ａ）は（ｂ）に示す断面ＧＧの状態を示す断面図である。
【図１５】図１４におけるソレノイドベース１０８の単体を右方向から見た状態示す正面図である。
【図１６】図１４における菱形ノーズ体１０２を右方向から見た状態を示す正面図である。
【図１７】図１５に示すソレノイドベース１０８を図１６に示す菱形ノーズ体１０２に位置決めする状態を示す説明図である。
【図１８】本発明に係る第３実施例の組付状態１で、（ｂ）は正面図、（ａ）は（ｂ）に示す断面ＩＩの状態を示す断面図である。
【図１９】図１８におけるソレノイドベース２０８の単体を右方向から見た状態示す正面図である。
【図２０】図１８における２列型ノーズ体２０１を右方向から見た状態を示す正面図である。
【図２１】図１９に示すソレノイドベース２０８を図２０に示す２列型ノーズ体２０１に位置決めする状態を示す説明図である。
【図２２】本発明に係る第３実施例の組付状態２で、（ｂ）は正面図、（ａ）は（ｂ）に示す断面ＫＫの状態を示す断面図である。
【図２３】図２２におけるソレノイドベース２０８の単体を右方向から見た状態示す正面図である。
【図２４】図２２における菱型ノーズ体２０２の単体を右方向から見た状態を示す正面図である。
【図２５】図２３に示すソレノイドベース２０８を図２４に示す菱型ノーズ体２０２に位置決めする状態を示す説明図である。
【図２６】（ａ）は、一従来例における印字モードを切り替え可能なワイヤガイド部分の構成を示す正面図、（ｂ）は、（ａ）に示す断面Ｍ−Ｍの状態を示す断面図である。
【符号の説明】
【００５２】
１、１０１、２０１  ２列型ノーズ体
２、１０２、２０２  菱型ノーズ体
３、１０３、２０３  ノーズ
３ａ、１０３ａ  位置決め突起部
２０３ａ  第１位置決め突起部
２０３ｂ  第２位置決め突起部
４  ２列型ワイヤガイド
５  菱型ワイヤガイド
６  配線基板６
７  コネクタ７
８、１０８、２０８  ソレノイドベース
８ａ、１０８ａ、２０８ａ  ソレノイドコア
８ｂ、１０８ｂ  第１位置決め溝部
２０８ｂ  位置決め溝部
８ｃ、１０８ｃ  第２位置決め溝部
９  ソレノイド
１０  リアカバー
１１  リアカバー止めネジ
１２  アーマチュアガイド
１３  アーマチュアストッパ
１４  アーマチュア
１５  ワイヤ
１６  ワイヤバネ支持リング
１７  ワイヤバネ
１８ アーマチュアバネ
【図１】
2006264013.tif 000003
【図２】
2006264013.tif 000004
【図３】
2006264013.tif 000005
【図４】
2006264013.tif 000006
【図５】
2006264013.tif 000007
【図６】
2006264013.tif 000008
【図７】
2006264013.tif 000009
【図８】
2006264013.tif 000010
【図９】
2006264013.tif 000011
【図１０】
2006264013.tif 000012
【図１１】
2006264013.tif 000013
【図１２】
2006264013.tif 000014
【図１３】
2006264013.tif 000015
【図１４】
2006264013.tif 000016
【図１５】
2006264013.tif 000017
【図１６】
2006264013.tif 000018
【図１７】
2006264013.tif 000019
【図１８】
2006264013.tif 000020
【図１９】
2006264013.tif 000021
【図２０】
2006264013.tif 000022
【図２１】
2006264013.tif 000023
【図２２】
2006264013.tif 000024
【図２３】
2006264013.tif 000025
【図２４】
2006264013.tif 000026
【図２５】
2006264013.tif 000027
【図２６】
2006264013.tif 000028